(57)【特許請求の範囲】
【請求項１】
配線パターンを有する第１の絶縁基板と、該第１の絶縁基板上に載置され、前記配線パターンに接続された電気部品と、前記第１の絶縁基板上に配置された第２の絶縁基板とを備え、前記第２の絶縁基板には、頂部に前記電気部品を通す開口部を有し、前記電気部品の外周部を囲むように形成された立ち上がり部を設け、該立ち上がり部と前記第１の絶縁基板とで構成される空間部に絶縁性シール材を充填して、前記空間部内の前記配線パターンと前記電気部品の電気的露出部を封止したことを特徴とする電気部品の封止構造。
【請求項２】
前記立ち上がり部は、前記第２の絶縁基板の前記立ち上がり部の根本部から前記電気部品に近づくに従って漸次立ち上がるような傾斜部で構成したことを特徴とする請求項１記載の電気部品の封止構造。
【請求項３】
前記開口部の縁部と前記電気部品との間に隙間を設けたことを特徴とする請求項２記載の電気部品の封止構造。
【請求項４】
前記第１の絶縁基板には、固定接点を設け、前記第２の絶縁基板は、可動接点を設けたフイルム状部材で形成し、前記フイルム状部材を押圧した時、前記フイルム状部材が変形して、前記可動接点を前記固定接点に接触させるようにしたスイッチ部を設けたことを特徴とする請求項１又は２，又は３記載の電気部品の封止構造。
【請求項５】
前記可動接点、及び前記固定接点が前記立ち上がり部の近傍に設けられたことを特徴とする請求項４記載の電気部品の封止構造。
【請求項６】
前記電気部品は、表示素子で形成され、該表示素子の表示部が設けられた上表面部が前記開口部から外方に突出したことを特徴とする請求項１〜５の何れかに記載の電気部品の封止構造。
【発明の詳細な説明】
【０００１】
【発明の属する技術分野】
本発明は、洗濯機に用いられるパネルスイッチ等の防水に好適な電気部品の封止構造に関する。
【０００２】
【従来の技術】
従来の電気部品の封止構造を図２に基づいて説明すると、洗濯機のシャーシ等からなる取付部２１には、パネルスイッチとしてのメンブレンスイッチ２２が接着剤（図示せず）等によって取り付けられている。
そして、このメンブレンスイッチ２２は、配線パターン（図示せず）と固定接点２３を有するフイルム状部材からなる下部の第１の絶縁基板２４と、可動接点２５を有し、スペーサ部材２６を介して第１の絶縁基板２４上に配置されたフイルム状部材からなる上部の第２の絶縁基板２７とで構成されている。
【０００３】
また、スペーサ部材２６と第２の絶縁基板２７には、第１の絶縁基板２４上に設けた配線パターンが露出するように設けられた開口部２８を有し、この開口部２８内において、ＬＥＤ等の表示素子からなる電気部品２９が配線パターンに半田付けによって接続されている。
【０００４】
また、開口部２８から水等が侵入しないように、開口部２８を接着剤等からなる絶縁性シール材３０で封止した構成となっている。
そして、この絶縁性シール材３０を開口部２８に充填した時、絶縁性シール材３０は、開口部２８から溢れて、第２の絶縁基板２７の可動接点２５の近傍部まではみ出た状態となっている。
【０００５】
このような構成を有する従来の電気部品の動作は、先ず、第２の絶縁基板２７の上部を押圧すると、第２の絶縁基板２７が撓んで、可動接点２５が固定接点２３に接触して、例えば、洗濯の種類を選択し、電気部品２９である表示素子には洗濯にかかる時間（タイマー）が表示される。
そして、押圧を解除すると、第２の絶縁基板２７の撓みが元に戻り、可動接点２５が固定接点２３から離れて、ＯＦＦの状態となる。
また、洗濯機が稼働すると、順次表示素子の時間（タイマー）の表示を変えるようになるものである。
【０００６】
【発明が解決しようとする課題】
従来の電気部品の封止構造は、開口部２８に絶縁性シール材３０を充填するものであるため、絶縁性シール材３０が開口部２８から溢れて周囲にはみ出て、外観性が悪くなるという問題がある。
また、はみ出た絶縁性シール材３０は、第２の絶縁基板２７の可動接点２５の近傍部まで位置し、メンブレンスイッチ２２においては、第２の絶縁基板２７の作動力等が変化する等の不具合が生じるという問題がある。
そこで、本発明は、外観の見栄えが良く、スイッチ部の動作の良好な電気部品の封止構造を提供するものである。
【０００７】
【課題を解決するための手段】
上記課題を解決するための第１の解決手段として、配線パターンを有する第１の絶縁基板と、該第１の絶縁基板上に載置され、前記配線パターンに接続された電気部品と、前記第１の絶縁基板上に配置された第２の絶縁基板とを備え、前記第２の絶縁基板には、頂部に前記電気部品を通す開口部を有し、前記電気部品の外周部を囲むように形成された立ち上がり部を設け、該立ち上がり部と前記第１の絶縁基板とで構成される空間部に絶縁性シールド材を充填して、前記空間部内の前記配線パターンと前記電気部品の電気的露出部を封止した構成とした。
【０００８】
また、第２の解決手段として、前記立ち上がり部は、前記第２の絶縁基板の前記立ち上がり部の根本部から前記電気部品に近づくに従って漸次立ち上がるような傾斜部で構成した。
また、第３の解決手段として、前記開口部の縁部と前記電気部品との間に隙間を設けた構成とした。
【０００９】
また、第４の解決手段として、前記第１の絶縁基板には、固定接点を設け、前記第２の絶縁基板は、可動接点を設けたフイルム状部材で形成し、前記フイルム状部材を押圧した時、前記フイルム状部材が変形して、前記可動接点を前記固定接点に接触させるようにしたスイッチ部を設けた構成とした。
【００１０】
また、第５の解決手段として、前記可動接点、及び前記固定接点が前記立ち上がり部の近傍に設けられた構成とした。
また、第６の解決手段として、前記電気部品は、表示素子で形成され、該表示素子の表示部が設けられた上表面部が前記開口部から外方に突出した構成とした。
【００１１】
【発明の実施の形態】
本発明の電気部品の封止構造を図１に基づいて説明すると、洗濯機のシャーシ等からなる取付部１には、パネルスイッチとしてのメンブレンスイッチからなるスイッチ部２が接着剤（図示せず）等によって取り付けられている。
そして、このスイッチ部２は、カーボンに覆われた銀パターンからなる配線パターン（図示せず）と固定接点３とを有するポリエステルのフイルム状部材からなる下部の第１の絶縁基板４と、カーボンからなる可動接点５を有し、スペーサ部材６を介して第１の絶縁基板４上に配置されたポリエステルのフイルム状部材からなる上部の第２の絶縁基板７とで構成されている。
また、スペーサ部材６は、ポリエステルフイルムの両面に粘着材が予め設けられた所謂両面粘着シート状のものであり、この粘着材により、第１の絶縁基板４，スペーサ部材６，第２の絶縁基板７がこの順に積層されて一体化されている。
【００１２】
また、スペーサ部材６には、第１の絶縁基板４上に設けた配線パターンが露出するように設けられた矩形状の開口部６ａが設けられると共に、この開口部６ａと対向する箇所において、第２の絶縁基板７には、頂部に開口部７ａを有し、第２の絶縁基板７の基部（平面部）との結合部である根本部から開口部７ａに行くに従って漸次立ち上がるような傾斜状をなした四角錐状の立ち上がり部７ｂが形成されている。
なお、この立ち上がり部７ｂは、四角錐台状の他に円錐台状、或いは円筒、四角筒でも良く、第２の絶縁基板７をプレス加工することによって形成している。
【００１３】
そして、この立ち上がり部７ｂと開口部６ａ及び第１の絶縁基板４との間には空間部８が形成されたものとなっている。
また、ＬＥＤ等の表示素子からなる電気部品９は、数字等をセグメント表示する表示部を備えた上表面部９ａが開口部７ａから外方に突出した状態で、一部が空間部８内に配置されると共に、第１の絶縁基板４上に載置されて、電気部品９の端子９ｂが対応する配線パターンに低融点半田による半田付けによって接続されている。
そして、電気部品９が開口部７ａに通された際、電気部品９の外周部を囲んだ立ち上がり部７ｂの開口部７ａの縁部と電気部品９との間には、隙間１０が形成されるようになっている。
この構成によって、立ち上がり部７ｂは、立ち上がり部７ｂの根本部から電気部品９に近づくに従って漸次立ち上がるような傾斜部となっている。
【００１４】
また、開口部７ａから水等が侵入しないように、液状のエポキシ系の接着剤等からなる絶縁性シール材１１を、開口部７ａから空間部８に充填して、乾燥させることにより、空間部８を封止すると共に、電気部品９を固定した構成となっている。
そして、この絶縁性シール材１１を空間部８に充填した時、絶縁性シール材１１は、立ち上がり部７ｂによって、第２の絶縁基板７の可動接点５の近傍まではみ出ることが無く、見栄えの良いものとなる。
ここで、絶縁性シール材１１は、空間部８内に隙間無く充填する必要はなく、空間部８内に位置する電気的露出部、即ち、配線パターン、電気部品９の端子９ｂ、配線パターンと端子９ｂとの接続部（半田付け部）が少なくとも絶縁性シール材１１で封止されていれば良い。
【００１５】
このような構成を有する本発明の電気部品の動作は、先ず、第２の絶縁基板７の上部を押圧すると、第２の絶縁基板７が撓んで、可動接点５が固定接点３に接触して、例えば、洗濯の種類を選択し、電気部品９である表示素子には洗濯にかかる時間（タイマー）が表示される。
そして、押圧を解除すると、第２の絶縁基板７の撓みが元に戻り、可動接点５が固定接点３から離れて、ＯＦＦの状態となる。
また、洗濯機が稼働すると、順次表示素子の時間（タイマー）の表示を変えるようになるものである。
【００１６】
【発明の効果】
本発明の電気部品の封止構造において、第２の絶縁基板７には、頂部に電気部品９を通す開口部７ａを有し、電気部品９の外周部を囲むように形成された立ち上がり部７ｂを設け、該立ち上がり部７ｂと第１の絶縁基板４とで構成される空間部８に絶縁性シール材１１を充填して、空間部８内の配線パターンと電気部品９の電気的露出部（活電部）を封止したため、空間部８に充填された絶縁性シール材１１は、立ち上がり部７ｂにより阻止されて第２の絶縁基板７の表面にはみ出すこがなく、見栄えの良好な電気部品の封止構造が提供できる。
【００１７】
また、立ち上がり部７ｂは、第２の絶縁基板７の立ち上がり部７ｂから電気部品９に近づくに従って漸次立ち上がるような傾斜部で構成したため、立ち上がり部７ｂをプレス加工等で容易に形成可能であると共に、空間部８を小さくできて、絶縁性シール材１１が少なく安価にできる。
また、絶縁性シール材１１の露出を少なくできて、見栄えの良い電気部品の封止構造を提供できる。
また、開口部７ｂの縁部と電気部品９との間に隙間１０を設けたため、この隙間１０から絶縁性シール材１１の空間部８への充填が容易にでき、従来とその作業工程を変更することがなく、作業性の良好な電気部品の封止構造を提供できる。
【００１８】
また、第１の絶縁基板４には、固定接点３を設け、第２の絶縁基板７は、可動接点５を設けたフイルム状部材で形成し、フイルム状部材を押圧した時、フイルム状部材が変形して、可動接点５を固定接点３に接触させるようにしたスイッチ部２を設けたため、メンブレンスイッチ（フイルム状スイッチ）装置を構成する一方の絶縁基板を、立ち上がり部７ｂが形成された第２の絶縁基板７として利用することができるので、絶縁性シール材１１の流れ出し防止のために、別途絶縁基板を必要としない。
また、空間部８に充填された絶縁性シール材１１は、立ち上がり部７ｂにより阻止されて第２の絶縁基板７の表面にはみ出すこがなく、第２の絶縁基板７の作動力が変化せず、安定した操作ができる電気部品の封止構造を提供できる。
【００１９】
また、可動接点５、及び固定接点３が立ち上がり部７ｂの近傍に設けられたため、小型化されたものにおいても、絶縁性シール材１１は、立ち上がり部７ｂにより阻止されて第２の絶縁基板７の表面にはみ出すこがなく、第２の絶縁基板７の作動力が変化せず、安定した操作ができ、スイッチ部２を備えたものにおいて好適な電気部品の封止構造を提供できる。
【００２０】
また、電気部品９は、表示素子で形成され、該表示素子の表示部が設けられた上表面部９ａが開口部７ａから外方に突出したため、表示部が絶縁性シール材１１に覆われることなく、特に、表示素子の表示部が露出して目視できる電気部品の封止構造を提供できる。
【図面の簡単な説明】
【図１】本発明の電気部品の封止構造を示す要部断面図。
【図２】従来の電気部品の封止構造を示す要部断面図。
【符号の説明】
１  取付部
２  スイッチ部
３  固定接点
４  第１の絶縁基板
５  可動接点
６  スペーサ部材
６ａ  開口部
７  第２の絶縁基板
７ａ  開口部
７ｂ  立ち上がり部
８  空間部
９  電気部品
９ａ  上表面部
９ｂ  端子
１０  隙間
１１  絶縁性シール材
【図１】
0003631926.tif 000002
【図２】
0003631926.tif 000003